(57)【要約】【課題】  １回の通紙で原稿の両面画像を読取る原稿読取装置においても、搬送系の影響による読取部での搬送負荷変動をなくし、歪のない良質な画像形成が可能な両面読取の画像読取装置を提供する。【解決手段】  両面読取可能な２個の読取手段１３、１６を原稿搬送路５に沿って備えた画像読取装置１であって、複数の搬送手段を、第１読取手段１３の上流側の第１搬送系Ａと、第１及び第２読取手段１３、１６前後の第２搬送系Ｂとに類別し、これら第１及び第２搬送系Ａ、Ｂは、夫々第１及び第２駆動伝達手段Ａ１、Ｂ１によって一連的に伝達駆動されると共に、この第１及び第２駆動伝達手段Ａ１、Ｂ１は、１個のモーター２２の出力軸２２ａから振り分け駆動伝達されるよう構成されていることを特徴とする。【選択図】      図２
2005210184.tif 000002
【特許請求の範囲】
【請求項１】
原稿載置部から原稿を繰出す原稿繰出手段と、繰出された原稿を１枚ずつに分離して給送する分離給送手段と、分離給送された原稿を排出トレーに至る一連の搬送路に沿って搬送すべく配設された複数の搬送手段と、上記搬送路を搬送される原稿の第１面の画像を読取る第１読取手段と、該第１読取手段に引続き原稿の第２面の画像を読取る第２読取手段とよりなる画像読取装置であって、
前記複数の搬送手段は、第１読取手段上流側の原稿繰出・給送を含む第１搬送系と、第１及び第２読取手段前後の第２搬送系とに類別され、これら第１及び第２搬送系は、夫々第１及び第２駆動伝達手段によって一連的に伝達駆動されると共に、この第１及び第２駆動伝達手段は、１個のモーターの出力軸から振り分け駆動伝達されるよう構成されていることを特徴とする画像読取装置。
【請求項２】
前記出力軸からの振り分け駆動伝達は、ギヤの噛合によってなされることを特徴とする請求項１に記載の画像読取装置。
【請求項３】
前記第１読取手段は、移動式読取走査装置からなり、搬送路における搬送原稿の第１面側の所定位置に静止・待機可能とされ、一方、第２読取手段は、密着型イメージセンサからなり、搬送路における搬送原稿の第２面側の所定位置に設置されていることを特徴とする請求項１又は２に記載の画像読取装置。
【発明の詳細な説明】
【技術分野】
【０００１】
本発明は、ファクシミリ装置、複写機（これらの複合機も含む）等の画像形成装置において、１個のモーターで作動する自動原稿送り装置（ＡＤＦ）によって原稿を搬送しながら、その原稿の両面の画像を読取る画像読取装置に関する。
【背景技術】
【０００２】
一般に、電子写真複写機やファクシミリ装置においては、原稿トレーにセットされた原稿を１枚ずつ分離して、読取部に向けて給紙するためのＡＤＦ装置が設けられている。このようなＡＤＦ装置においては、原稿トレー上から繰出された原稿を１枚ずつ分離して給送する分離ローラ、該分離ローラの下流側に配設され原稿を読取部に向け搬送するとともに、読取部を通過した原稿を排出トレーに排出させる複数の搬送ローラが、原稿搬送路に沿って配設されている。そして、上記一連の原稿搬送路上の２箇所に読取部が設置され、１回の通紙で原稿の表裏両面（第１面及び第２面）の画像を読取る両面読取装置も実用化されるようになってきた。このような両面読取装置にあっては、装置のコンパクト化を図るために上記原稿搬送路を倒Ｕ字型に湾曲形成して排出トレーを原稿トレーの下に積層するよう構成し、原稿トレーから排出トレーに至る間、原稿をＵターン状にガイドするようにしたものも多く採用されるようになった。このようなＵターン状の原稿搬送路を備えた装置の場合、結果的に各ローラが近接配置されることになり、従って、大掛かりな駆動伝達機構を用いずともこれらのローラを１個のモーターで駆動させることが可能となる。
【０００３】
上記のように一連の搬送路上に読取部を設置し、原稿の繰出しから読取部を経て排出に至る一連の搬送系の駆動伝達を１個のモーターで実施する場合、読取部に至る原稿の搬送系の駆動伝達系と、読取部前後の搬送系の駆動伝達系とが同じ系統で相互に連関していると、原稿が読取部を通過中に読取部の上流側における搬送系の搬送負荷変動やギヤのバックラッシュ等に基づく振動がギヤやベルト等の駆動伝達系を介して読取部の搬送系に伝達され、これが画像読取に影響して読取画像に歪を発生する原因にもなっていた。
【０００４】
また、原稿トレーに各種サイズの原稿が置かれた場合でも、読取り前に原稿毎のサイズを検出し得るよう、原稿さばき手段（分離手段）から読取部までの距離を最大原稿長さの１／２以上（最大原稿がＡ３の場合２１０ｍｍ以上）の長さを確保することもなされる（特許文献１）が、このような場合でも、Ａ３やＢ４等の長尺原稿の後端がさばき手段を抜け出た瞬間に搬送負荷がなくなり、これが読取部の搬送系に影響を及ぼすことになる。特に、１連の搬送路に沿って２個の読取部が設置されている場合は、第２の読取部で搬送負荷の変動が大きくなる。また、Ａ４横原稿より小サイズの場合、原稿の後端がさばき手段を抜け、次の原稿がさばき手段に繰り込まれる瞬間に同様の負荷変動が発生し、これが読取部の搬送系に伝達される。特許文献２は、このような問題点を回避する為、原稿の繰出しから読取部を経て排出に至る一連の搬送系を、読取部の近傍に至る搬送系と、読取部前後の搬送及び排出を含む搬送系とに分け、これらを２系統の駆動伝達系を介して駆動するようにし、更に、この２系統の駆動伝達系をモーターの出力軸において振り分けるよう構成した画像読取装置を開示するものである。
【特許文献１】特開平０８−１３３５５１号公報
【特許文献２】特開２００１−１３０７７０号公報
【発明の開示】
【発明が解決しようとする課題】
【０００５】
上記特許文献２に開示された画像読取装置は、２系統の駆動伝達系をモーターの出力軸において振り分けているから、読取部の近傍に至る搬送系の搬送負荷変動や振動等が読取部前後の搬送系に影響せず、上記のような読取画像の歪等が生じず高品質の画像形成が実現される。しかし、この画像読取装置は、１回の通紙で原稿の両面画像を読取るよう、搬送路に沿って２箇所に読取部を設けたものではなく、ましてや、第２面の画像読取部における原稿の搬送系についての搬送負荷の変動の影響にまで言及するものではなかった。
【０００６】
本発明は、上記のような実情に鑑みなされたものであり、１回の通紙で原稿の両面画像を読取る原稿読取装置においても、搬送系の影響による読取部での搬送負荷変動をなくし、歪のない良質な画像形成が可能な画像読取装置を提供するものである。
【課題を解決するための手段】
【０００７】
本発明の画像読取装置は、原稿載置部から原稿を繰出す原稿繰出手段と、繰出された原稿を１枚ずつに分離して給送する分離給送手段と、分離給送された原稿を排出トレーに至る一連の搬送路に沿って搬送すべく配設された複数の搬送手段と、上記搬送路を搬送される原稿の第１面の画像を読取る第１読取手段と、該第１読取手段に引続き原稿の第２面の画像を読取る第２読取手段とよりなる画像読取装置であって、前記複数の搬送手段は、第１読取手段上流側の原稿繰出・給送を含む第１搬送系と、第１及び第２読取手段前後の第２搬送系とに類別され、これら第１及び第２搬送系は、夫々第１及び第２駆動伝達手段によって一連的に伝達駆動されると共に、この第１及び第２駆動伝達手段は、１個のモーターの出力軸から振り分け駆動伝達されるよう構成されていることを特徴とする。
【０００８】
前記出力軸からの振り分け駆動伝達は、請求項２の発明のように、ギヤの噛合によってなされることが望ましく、また、請求項３の発明のように、前記第１読取手段は、移動式読取走査装置からなり、搬送路における搬送原稿の第１面側の所定位置に静止・待機可能とされ、一方、第２読取手段は、密着型イメージセンサからなり、搬送路における搬送原稿の第２面側の所定位置に設置されているよう構成されることが望ましい。
【発明の効果】
【０００９】
本発明の画像読取装置によれば、原稿繰出・給送を含む第１搬送系と、第１及び第２読取手段前後の第２搬送系は互いに個別の系統に類別され、これらが１個のモーターの出力軸から振り分け駆動伝達されるよう構成された第１及び第２駆動伝達手段によって夫々一連的に伝達駆動されるから、第１搬送系の搬送負荷変動が第２搬送系に影響を及ぼさず、第１及び第２の読取手段での読取画像に歪を生じることがない。特に、分離給送手段から第２読取手段までの距離が長いので、第２読取手段前後の原稿搬送系を含む全ての搬送系を、一連の駆動伝達系により一括駆動すると、分離給送手段を原稿後端が抜け出し、次の原稿が繰り込まれる際の搬送負荷変動が第２読取手段に大きく影響することになるが、本発明では読取手段前後の搬送手段とその上流側の搬送系とを実質上分断しているから、このような影響が回避される。
【発明を実施するための最良の形態】
【００１０】
以下に本発明の実施の形態について図面を参照して説明する。図１はファクシミリ装置や複写機、或いはファクシミリと複写の両機能（プリンタ機能も含む）を備えた所謂複合機におけるＡＤＦによる原稿読取装置１の要部の縦断面図を示すものである。図例の原稿読取装置１は、シートものの原稿Ｄを１枚ずつ搬送しながら、その両面の画像を読取って、それぞれデジタル信号として出力するための両面原稿読取装置として構成されている。尚、図１は、紙面奥側が原稿読取装置１の正面側（フロント側）、紙面手前側が背面側（リヤ側）であることを示している。
【実施例】
【００１１】
図例の原稿読取装置１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に上向きページ順に堆積された原稿Ｄを上層部より繰出すピックアップローラ（原稿繰出手段）３が配設され、このピックアップローラ３に引き続き、繰出された原稿を１枚ずつ分離して給送する原稿分離装置（分離給送手段）４が装備されている。該原稿分離装置４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させるべく機能するものである。尚、分離給送手段４としては、分離ローラとリタードローラからなるものも対象とされることは言うまでもない。
【００１２】
上記原稿分離装置４により１枚ずつ分離された原稿Ｄは、Ｕターン状に形成された原稿搬送路５に沿って順次配設されたレジストローラ６、第１搬送ローラ７及び第２搬送ローラ８によりレジスト搬送されて第１の読取ポイントＰ１に至り、更に第３搬送ローラ９により第２の読取ポイントＰ２に給送され、排出ローラ１０により排出トレー１１に排出される。第１の読取ポイントＰ１にはプラテン１２が配置され、原稿が該プラテン１２上を通過する際、このプラテン１２の下部に待機された読取走査装置（第１読取手段）１３により原稿表面（第１面）の画情報が逐次読み取られ、上記のようにデジタル信号として出力される。
【００１３】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１４】
図例の読取走査装置１３は、移動式読取走査装置として、フラットベッドスキャナ（ＦＢＳ）にも兼用するよう構成されている。即ち、図示を一部省略したが、図１における破断部分の左側にはＦＢＳ部１４が連成されている。上記キャリッジ１３ｅは、図例ではＡＤＦ原稿の読取位置に待機・静止した状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。画像読取装置１、原稿トレー２ｂ及び排出トレー１１は一体化されてプラテンカバーを構成し、紙面手前側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１５】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ（第２読取手段）１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間原稿の裏面（第２面）画像が密着型イメージセンサ１６により読取られ、電気信号に変換されてデジタル信号として出力される。
【００１６】
上記分離ローラ（ピックアップローラ３を含む）４ａ、レジストローラ６及び第１搬送ローラ７は、第１搬送系Ａを構成し、第２搬送ローラ８、第３搬送ローラ９、プラテンローラ１７及び排出ローラ１０は第２搬送系Ｂを構成し、これら２系統に類別された搬送系Ａ、Ｂは、１個のモーター（図２、図３参照）２２を駆動源とし、後記する２系統の駆動伝達手段Ａ１、Ｂ１を介し、個別に駆動伝達がなされるよう構成されている。
【００１７】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１８】
斯く構成されたピックアップローラ３は、待機状態ではフレーム３ａをして上方に位置し、上記駆動軸４ｄが正回転（Ｘ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ｘ方向）すると、フレーム３ａがトルクリミッタの作用により上方に揺動し、その後の駆動軸４ｄの停止により、待機状態に静止保持される。
【００１９】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２０】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２１】
また、第２搬送ローラ８、第３搬送ローラ９、これらと対をなすプレッシャーローラ８ａ、９ａ、プラテンローラ１７及び排出ローラ１０は、ＡＤＦを含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、前記レジストローラ６の駆動軸６ｂを支点として上下に開閉可能に枢着された中間フレーム２１に取付けられている。第２搬送ローラ８及び第３搬送ローラ９間でのジャム原稿のジャム解除については後記するが、第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２２】
図２及び図３は上記各ローラの駆動伝達機構を示し、図２はその正面図（画像読取装置１全体から見れば背面図）であり、図３はその平面図である。上記機体フレーム１９には、駆動伝達機構用の板金製本体フレーム（リヤフレーム）２３が固設され、この本体フレーム２３に、上記レジストローラ６、第１搬送ローラ７、第２搬送ローラ９、プラテンローラ１７及び排出ローラ１０の駆動軸６ｂ、７ｂ、９ｂ、１７ａ及び１０ｂの一端部が軸支されている。また、板金製のモーターブラケット２４が、本体フレーム２３に固設されたナット支柱２４ａにビス２４ｂを螺合することにより、本体フレーム２３に対し間隔を隔て固定されている。更に、該モーターブラケット２４には、上記各ローラの共通の駆動源であるモーター２２が取付けられている。
【００２３】
上記各ローラの駆動軸６ｂ、７ｂ、９ｂ、１７ａ及び１０ｂの一端部にはギヤ６ｃ、７ｃ、９ｃ、１７ｂ及び１０ｃが取付けられ、これらギヤに対してモーター２２の出力ギヤ（出力軸）２２ａから、アイドラギヤ或いはベルト等を介して駆動伝達される。即ち、上記出力ギヤ２２ａに２段の第１アイドラギヤ２５の大径ギヤが噛合し、この第１アイドラギヤ２５の小径ギヤに第２アイドラギヤ２６が噛合する。更に、第２アイドラギヤ２６に第３アイドラギヤ２７が噛合し、これらにより分離ローラ４ａ専用の駆動伝達系が確立される。即ち、本体フレーム２３の上辺部に切欠２３ａが形成されており、前記ジャムアクセスカバー１８を閉めると、分離ローラ４ａの駆動軸４ｄがこの切欠２３ａに嵌り込んで保持され、該駆動軸４ｄの一端に取付けられたギヤ４ｆが第３アイドラギヤ２７に噛合して、モーター２２の出力ギヤ２２ａから、第１アイドラギヤ２５、第２アイドラギヤ２６及び第３アイドラギヤ２７を介して分離ローラ４ａへの回転駆動伝達がなされる。
【００２４】
また、上記第１アイドラギヤ２５には、第４アイドラギヤ２８が噛合し、更に、この第４アイドラギヤ２８と第５アイドラギヤ２９間に第１タイミングベルト（歯付ベルト、以下同じ）３０が張設され、この第５アイドラギヤ２９に上記レジストローラ６のギヤ６ｃ及び第１搬送ローラ７のギヤ７ｃが噛合する。これによりレジストローラ６及び第１搬送ローラ７の駆動伝達系が確立され、モーター２２の出力ギヤ２２ａから、レジストローラ６及び第１搬送ローラ７に回転動力が伝達される。
【００２５】
上記出力ギヤ２２ａには、更に別の第６アイドラギヤ３１が噛合し、この第６アイドラギヤ３１と第３搬送ローラ９のギヤ９ｃ間に第２タイミングベルト３２が張設されており、これにより、出力ギヤ２２ａから第６アイドラギヤ３１及び第２タイミングベルト３２を介し第３搬送ローラ９に回転動力が伝達される。また、第３搬送ローラ９の駆動軸９ｂからは、後記するように、フロントフレーム３６側に設けられたギヤ９ｅ及び第４タイミングベルト３７を介し、第２搬送ローラ８のギヤ８ｃに駆動伝達される（図３、図４参照）。更に、第６アイドラギヤ３１と第７アイドラギヤ３３には第３タイミングベルト３４が張設され、該第７アイドラギヤ３３には、プラテンローラ１７のギヤ１７ａ及び排出ローラ１０のギヤ１０ｃが噛合する。これにより、出力ギヤ２２ａから第６アイドラギヤ３１、第３タイミングベルト３４及び第７アイドラギヤ３３を介しプラテンローラ１７及び排出ローラ１０に回転動力が伝達される。
【００２６】
上記のように、第１アイドラギヤ２５から第２アイドラギヤ２６を経て第３アイドラギヤ２７に至る駆動伝達系、及び、第１アイドラギヤ２５から第４アイドラギヤ２８、第１タイミングベルト３０、第５アイドラギヤ２９を経てギヤ６ｃ或いはギヤ７ｃに至る駆動伝達系は、分離ローラ（ピックアップローラ３を含む）４ａ、レジストローラ６及び第１搬送ローラ７からなる第１搬送系Ａを一連的に駆動する為の第１駆動伝達系Ａ１を構成する。また、第６アイドラギヤ３１から第２タイミングベルト３２を経てギヤ９ｃ更にはギヤ８ｃに至る駆動伝達系、及び、第６アイドラギヤ３１から第３タイミングベルト３４を経てギヤ１７ａ或いはギヤ１０ｃに至る駆動伝達系は、第２搬送ローラ８、第３搬送ローラ９、プラテンローラ１７及び排出ローラ１０からなる第１搬送系Ｂを一連的に駆動する為の第２駆動伝達系Ｂ１を構成する。
【００２７】
上記第１〜第７アイドラギヤ２５、２６、２７、２８、２９、３１、３３の多くは、多段ギヤで構成され、各ギヤの径（歯数）は、各ローラが所定の周速度になるよう適宜設定される。また、いずれのアイドラギヤも、本体フレーム２３にカシメ等により植設固定されたギヤスタッドに軸回転可能に装着され、一部のギヤスタッドは、その他端部がモーターブラケット２４に保持されている。更に、分離ローラ４ａへの駆動伝達系における第２アイドラギヤ２６、レジストローラ６のギヤ６ｃ及び第３搬送ローラ９のギヤ９ｃにはそれぞれ電磁クラッチ２６ａ、６ｄ及び９ｄが付設され、分離ローラ４ａ、レジストローラ６及び第３搬送ローラ９が個々にオン・オフ制御されるようになされている。尚、図２ではこれら電磁クラッチの図示を省略している。
【００２８】
図２において、３５ａ、３５ｂ、３５ｃはテンションギヤであり、夫々第１、第２、第３タイミングベルト３０、３２、３４の張り調整機能を奏するものである。これらテンションギヤ３５ａ、３５ｂ、３５ｃは、レジストローラ６の駆動軸６ｂを支点として垂直面域内で揺動可能に取付けられたテンションプレート３５に装備されている。このテンションプレート３５は、引張スプリング３５ｄにより、常時駆動軸６ｂを中心に反時計方向に弾力付勢されており、これにより各テンションギヤ３５ａ、３５ｂ、３５ｃは、夫々第１、第２、第３タイミングベルト３０、３２、３４に作用し、これらを常時緊張状態に維持する。
【００２９】
次に、第２搬送ローラ８への駆動伝達機構について説明する。この伝達機構は、第３搬送ローラ９の駆動軸９ｂの他端側（画像読取装置１のフロント側）に構成される。即ち、図４は、画像読取装置１のフロント側から見た駆動機構の正面図であり、第３搬送ローラ９の駆動軸９ｂは、画像読取装置１を横断してフロント側に及び、機体フレーム１９に取付けられたフロントフレーム３６にそのフロント側端部が回転可能に保持されている。また、第２搬送ローラ８の駆動軸８ｂも、そのフロント側端部が、フロントフレーム３６に保持されている。そして、両駆動軸９ｂ、８ｂのフロント側端部には、夫々ギヤ９ｅ及び８ｃが取付けられ、両ギヤ９ｅ、８ｃには第４タイミングベルト３７が張設され、これにより、第２搬送ローラ８への駆動伝達機構が確立される。従って、第３搬送ローラ９が上記駆動伝達機構を介して回転駆動すると、この駆動伝達機構により、第２搬送ローラ８が同時に回転駆動する。
【００３０】
図４に示すように、テンションプーリー３８は、引張スプリング３８ａの弾力付勢力により上記第４タイミングベルト３７に作用して該第４タイミングベルト３７を常時緊張状態に維持する。また、ジャム解除用操作ノブ３９が、その一部が、前記ジャムアクセスカバー１８を開放すると装置上面に露出するよう構成されており、第２搬送ローラ８及び第３搬送ローラ９において原稿ジャムが発生した時に、ジャムアクセスカバー１８を開けこの操作ノブ３９の露出部を回転操作し、第２搬送ローラ８及び第３搬送ローラ９を強制回転させることにより、ジャム原稿を取り出すことができる。第３搬送ローラ９の駆動軸９ｂには大径のギヤ９ｆが取付けられ、このギヤ９ｆと操作ノブ３９のギヤ３９ａとの間に２段のアイドラギヤ４０が噛合介在する。
【００３１】
また、アイドラギヤ４０にはラチェット機構等のワンウェイクラッチ手段（不図示）が組み込まれ、操作ノブ３９を矢視方向に回転操作した時には、このワンウェイクラッチ手段のロック作用により、操作ノブ３９の回転がアイドラギヤ４０及びギヤ９ｆを介して第３搬送ローラ９に伝達され、更にこの第３搬送ローラ９の回転が第２搬送ローラ８にも伝達される。従って、操作ノブ３９の回転操作により、第３搬送ローラ９及び第２搬送ローラ８が強制回転され、この部分でのジャム原稿が繰出されその取出しが可能となる。
【００３２】
なお、第３搬送ローラ９の駆動軸９ｂには、前記のように電磁クラッチ９ｄが付設されており、この電磁クラッチ９ｄのオフ状態では、第３搬送ローラ９が駆動伝達系から遮断されることになるから、その負荷が掛からず、上記操作ノブ３９の操作抵抗にはならないのである。一方、第３搬送ローラ９が駆動モーター２２の駆動力を得て、矢視のように正規の回転（原稿搬送方向）がなされる場合には、上記ワンウェイクラッチ手段がアンロック状態となり、操作ノブ３９にはその回転力は伝達されない。
【００３３】
上記説明で明らかなように、本発明の画像読取装置１における原稿搬送系は、第１の読取手段（第１の読取ポイントＰ１）の上流位置までの各ローラからなる第１搬送系Ａと、読取手段（第１及び第２の読取ポイントＰ１及びＰ２）前後及び排出ローラ１０に至る各ローラからなる第２搬送系Ｂとの２系統の搬送系に類別され、これら２系統の搬送系Ａ、Ｂは、夫々２系統の駆動伝達系Ａ１、Ｂ１を介して一連的に回転駆動する。そして、この２系統の駆動伝達系Ａ１、Ｂ１は、モーター２２の出力軸２２ａから振り分け状に連接されて個別に駆動伝達される。従って、第１搬送系Ａによる原稿搬送時の搬送負荷変動やギヤのバックラッシュに基づく振動等は、駆動伝達系Ａ１、Ｂ１を介して第２搬送系Ｂに伝達されることがなく、第２搬送系Ｂを構成する各ローラは、このような第１搬送系Ａの搬送負荷変動等の影響を受けずに正常な回転が維持され、各読取部における読取画像の歪発生が著しく減退する。特に、原稿トレー２ｂに異なるサイズの原稿が混載されても、読取前に各原稿毎のサイズ検出が可能なように、読取ポイントＰ１までの搬送路長さを最大原稿長さの１／２以上確保するよう構成された場合でも、長尺原稿後端が原稿分離装置４を抜け出た瞬間の搬送負荷変動の影響がない。また、原稿分離装置４から遠い距離にある第２読取ポイントＰ２を原稿が通過中に、次の原稿が原稿分離装置４に繰り込まれても、その搬送負荷変動はこの第２読取ポイントＰ２での読取に影響しないのである。
【００３４】
しかも、第１搬送系Ａから第２搬送系Ｂに連なる一連の搬送系は、Ｕターン状に湾曲形成され、これら搬送系を構成する各ローラは、この湾曲された搬送路に沿って配設され、１個のモーター２２をその駆動源とし、さらに、第２読取手段としての密着型イメージセンサ１６をこの湾曲空域内に配設しているから、読取画像品質を良好に維持しながら、装置のコンパクト化も図ることができる。また、第１読取手段として移動式読取走査装置１３を採用しているから、ＦＢＳ装置と兼用することができ、コンパクトでありながら、多様な画像読取が可能とされる。
【００３５】
図１において、ピックアップローラ３及び分離ローラ４ａの間の原稿載置部２上に出没可能な用紙先端揃え用シャッタ４１が設置されている。このシャッタ４１は、待機状態の時には、原稿載置部２上に突出し、原稿トレー２ｂ上にセットされる原稿Ｄの先端を揃えるよう機能するものであり、レジストローラ６の回転に連動して上下揺動するリンク機構（一部図示省略）４２に設けられ、このリンク機構４２の上下揺動により原稿載置部２上に出没するよう構成されている。このように、レジストローラ６に機械的に連動させて、シャッタ４１を原稿載置部２上に出没させるようにしているから、ソレノイド等の高価な電気部品を用いることなくシャッタ４１の動作機構を簡易に構成することができる。
【００３６】
なお、上記実施形態では、第１読取手段及び第２読取手段が、移動式読取走査装置及び密着型イメージセンサである例を述べたが、これらが逆の関係であってもよく、また、移動式読取走査装置に代えて、密着型イメージセンサその他の固定式読取走査装置であってもよい。
【図面の簡単な説明】
【００３７】
【図１】画像読取装置の一例を示す縦断面図である。
【図２】各ローラの駆動伝達機構を示す正面図である。
【図３】同平面図である。
【図４】同一連の駆動伝達機構の一部を示す正面図である。
【符号の説明】
【００３８】
１      画像読取装置
２      原稿載置部
３      ピックアップローラ（原稿繰出手段）
４      分離給送手段
５      搬送路
１３    読取走査装置（移動式読取走査装置、第１読取手段）
１６    密着型イメージセンサ（第２読取手段）
２２    モーター
２２ａ  出力ギヤ（出力軸）
Ａ      第１搬送系（搬送手段）
Ａ１    第１駆動伝達機構（手段）
Ｂ      第２搬送系（搬送手段）
Ｂ１    第２駆動伝達機構（手段）
Ｄ      原稿
【図１】
2005210184.tif 000003
【図２】
2005210184.tif 000004
【図３】
2005210184.tif 000005
【図４】
2005210184.tif 000006
【手続補正書】
【提出日】平成16年11月25日(2004.11.25)
【手続補正１】
【補正対象書類名】明細書
【補正対象項目名】０００９
【補正方法】変更
【補正の内容】
【０００９】
本発明の画像読取装置によれば、原稿繰出・給送を含む第１搬送系と、第１及び第２読取手段前後の第２搬送系は互いに個別の系統に類別され、これらが１個のモーターの出力軸から振り分け駆動伝達されるよう構成された第１及び第２駆動伝達手段によって夫々一連的に伝達駆動されるから、第１搬送系の搬送負荷変動が第２搬送系に影響を及ぼさず、第１及び第２の読取手段での読取画像に歪を生じることがない。特に、分離給送手段から第２読取手段までの距離が長いので、第２読取手段前後の原稿搬送系を含む全ての搬送系を、一連の駆動伝達系により一括駆動すると、分離給送手段を原稿後端が抜け出し、次の原稿が繰り込まれる際の搬送負荷変動が第２読取手段に大きく影響することになるが、本発明では読取手段前後の搬送系とその上流側の搬送系とを実質上分断しているから、このような影響が回避される。
【手続補正２】
【補正対象書類名】明細書
【補正対象項目名】００２５
【補正方法】変更
【補正の内容】
【００２５】
上記出力ギヤ２２ａには、更に別の第６アイドラギヤ３１が噛合し、この第６アイドラギヤ３１と第３搬送ローラ９のギヤ９ｃ間に第２タイミングベルト３２が張設されており、これにより、出力ギヤ２２ａから第６アイドラギヤ３１及び第２タイミングベルト３２を介し第３搬送ローラ９に回転動力が伝達される。また、第３搬送ローラ９の駆動軸９ｂからは、後記するように、フロントフレーム３６側に設けられたギヤ９ｅ及び第４タイミングベルト３７を介し、第２搬送ローラ８のギヤ８ｃに駆動伝達される（図３、図４参照）。更に、第６アイドラギヤ３１と第７アイドラギヤ３３には第３タイミングベルト３４が張設され、該第７アイドラギヤ３３には、プラテンローラ１７のギヤ１７ｂ及び排出ローラ１０のギヤ１０ｃが噛合する。これにより、出力ギヤ２２ａから第６アイドラギヤ３１、第３タイミングベルト３４及び第７アイドラギヤ３３を介しプラテンローラ１７及び排出ローラ１０に回転動力が伝達される。
【手続補正３】
【補正対象書類名】明細書
【補正対象項目名】００２６
【補正方法】変更
【補正の内容】
【００２６】
上記のように、第１アイドラギヤ２５から第２アイドラギヤ２６を経て第３アイドラギヤ２７に至る駆動伝達系、及び、第１アイドラギヤ２５から第４アイドラギヤ２８、第１タイミングベルト３０、第５アイドラギヤ２９を経てギヤ６ｃ或いはギヤ７ｃに至る駆動伝達系は、分離ローラ（ピックアップローラ３を含む）４ａ、レジストローラ６及び第１搬送ローラ７からなる第１搬送系Ａを一連的に駆動する為の第１駆動伝達系Ａ１を構成する。また、第６アイドラギヤ３１から第２タイミングベルト３２を経てギヤ９ｃ更にはギヤ８ｃに至る駆動伝達系、及び、第６アイドラギヤ３１から第３タイミングベルト３４を経てギヤ１７ｂ或いはギヤ１０ｃに至る駆動伝達系は、第２搬送ローラ８、第３搬送ローラ９、プラテンローラ１７及び排出ローラ１０からなる第２搬送系Ｂを一連的に駆動する為の第２駆動伝達系Ｂ１を構成する。